(57)【要約】【課題】基板に多数の位置決め用孔を形成する必要なく基板に対して精度良く位置決めすることが可能であり、かかる位置決め状態下で基板の表裏両面に形成された導電路パターンに対して半田付けを容易に行うことが出来る、新規な構造の基板用コネクタ及びそれを用いたコネクタを備えた配線基板を提供することを、目的とする。【解決手段】基板用コネクタ１４のコネクタ台座２８を一対の分割台座３０，３０で構成すると共に、各分割台座３０の位置決め部分３４ａ，３４ｂに設けられた係止突起３６ａ，３６ｂを両面プリント配線基板１２の外周端面に係止させることで、基板用コネクタ１４を両面プリント配線基板１２に位置決めする。【選択図】図１
2010176924.tif 000002
【特許請求の範囲】
【請求項１】
表面側と裏面側にそれぞれ導電路パターンが形成された両面プリント配線基板に対して、その端縁部に装着されるコネクタ台座を備えていると共に、前記両面プリント配線基板の表面側に形成された表側導電路パターンに接続される接続端子と、前記両面プリント配線基板の裏面側に形成された裏側導電路パターンに接続される接続端子とが、前記コネクタ台座によって支持された基板用コネクタにおいて、
前記コネクタ台座が分割構造とされて前記両面プリント配線基板の表面側に装着される分割台座と前記両面プリント配線基板の裏面側に装着される分割台座とによって構成されており、且つ、それら両分割台座として同じものが一対採用されている一方、前記分割台座には、中央部分に複数の前記接続端子が整列して固着されていると共に、前記中央部分から前記接続端子の整列方向の両側においてそれぞれ延び出す位置決め部分が非対称形状で設けられており、一対の前記分割台座を前記両面プリント配線基板の端縁部において相互に表裏反転して重ね合わせることにより、一方の分割台座の前記接続端子が前記両面プリント配線基板の前記表側導電路パターンに接続されると共に、他方の分割台座の前記接続端子が前記両面プリント配線基板の前記裏側導電路パターンに接続されるようになっている一方、各分割台座における前記位置決め部分に設けられた前記係止突起が、前記両面プリント配線基板の外周端面における相互に異なる位置に対して係止されるようになっていることを特徴とする基板用コネクタ。
【請求項２】
前記一対の分割台座において、前記両面プリント配線基板の表裏両側から重ね合わされた状態で相互に固着する固着手段が設けられている請求項１記載の基板用コネクタ。
【請求項３】
前記一対の分割台座の両中央部分が、相互に重ね合わされていると共にコネクタハウジングによって覆われている請求項１又は２に記載の基板用コネクタ。
【請求項４】
前記各分割台座において両側に延び出して設けられた前記位置決め部分には、その少なくとも一方において前記両面プリント配線基板に固定される固定部が設けられている請求項１乃至３の何れか１項に記載の基板用コネクタ。
【請求項５】
前記位置決め部分は、前記中央部分からの延び出し長さが相互に異なっていると共に、各前記位置決め部分において前記中央部分からの離隔距離が異なる位置に前記係止突起が形成されており、それらの係止突起によって、各前記位置決め部分がそれぞれ前記両面プリント配線基板の端縁部に対して係止されるようになっている請求項１乃至４の何れか１項に記載の基板用コネクタ。
【請求項６】
請求項１乃至５の何れか１項に記載の基板用コネクタを用い、前記基板用コネクタを構成する前記一対の分割台座を前記両面プリント配線基板の端縁部において表裏両側から重ね合わせ、前記一対の分割台座のそれぞれに設けられた前記係止突起を前記両面プリント配線基板の外周端面における相互に異なる位置に係止させた状態で、一方の分割台座における前記接続端子を前記両面プリント配線基板の前記表側導電路パターンに対して半田付けすると共に、他方の分割台座における前記接続端子を前記両面プリント配線基板の前記裏側導電路パターンに対して半田付けしたことを特徴とするコネクタを備えた配線基板。
【請求項７】
前記一対の分割台座のそれぞれの前記中央部分において前記接続端子が貫通して延び出していると共に、前記中央部分の両側において、それら接続端子における導電路パターンへの接続端側に向かって前記位置決め部分がそれぞれ延び出しており、前記分割台座の前記中央部分と略同じ幅寸法とされた前記両面プリント配線基板の端縁部に対して前記分割台座の前記中央部分が配設されて、両側の前記位置決め部分が前記両面プリント配線基板の両側縁部に沿って延び出しており、前記位置決め部分に設けられた前記係止突起が前記両面プリント配線基板の両側縁部の外周端面に対して係止されている請求項６に記載のコネクタを備えた配線基板。
【請求項８】
前記一対の分割台座のそれぞれの前記中央部分において前記接続端子が貫通して延び出していると共に、前記中央部分の両側において、それら接続端子の整列方向の両側延長線上にそれぞれ延び出して前記位置決め部分が形成されており、前記両面プリント配線基板の直線的に延びる端縁部において、前記中央部分に設けられた前記接続端子が接続される導電路パターンの接続部を挟んだ両側にそれぞれ前記位置決め部分に設けられた前記係止突起が係止される被係止部が設けられている請求項６に記載のコネクタを備えた配線基板。
【発明の詳細な説明】
【技術分野】
【０００１】
本発明は、基板用コネクタ及びそれを用いたコネクタを備えた配線基板に関するものである。
【背景技術】
【０００２】
従来から、プリント配線基板に導電線等を接続するために、コネクタ台座に複数本の接続端子を設けた基板用コネクタが用いられている。例えば、特許文献１（特開２００４−２０６９２４号公報）等に記載されているものが、それである。
【０００３】
ところで、プリント配線基板には、特許文献１に記載のように、一方の面だけに導電路パターンが形成されたものの他、両面に導電路パターンが形成されたものがある。このように基板の表裏両面に導電路パターンが形成されたプリント配線基板では、基板用コネクタにおいて、表面と裏面の各導電路パターンに接続される複数本の接続端子を設ける必要がある。
【０００４】
そこで、特許文献２（特開平０６−２０７５０号公報）には、表裏両面に形成された導電路パターンにそれぞれ接続される複数本の接続端子を備えた基板用コネクタが提案されている。この基板用コネクタは、表面側の導電路パターンに接続される接続端子を備えた表面用コネクタと、裏面側の導電路パターンに接続される接続端子を備えた裏面用コネクタとの一対を用い、プリント配線基板を挟んだ表裏両面の対応する位置に各別に実装される構造となっている。
【０００５】
しかしながら、特許文献２に記載された従来構造の基板用コネクタでは、各接続端子を導電路パターンに半田付けするに際し、基板に４つ以上のピン孔を形成して、表裏各コネクタを各２つ以上のピンで基板に対して仮固定する必要がある。それ故、それら多数のピン孔の形成によって基板の有効面積が減少すると共に、導電路パターンの形成態様も制限されるという問題があった。
【先行技術文献】
【特許文献】
【０００６】
【特許文献１】特開２００４−２０６９２４号公報
【特許文献２】特開平６−２０７５０号公報
【発明の概要】
【発明が解決しようとする課題】
【０００７】
ここにおいて、本発明は、上述の如き事情を背景として為されたものであって、その解決課題とするところは、基板に多数の位置決め用孔を形成する必要なく基板に対して精度良く位置決めすることが可能であり、かかる位置決め状態下で基板の表裏両面に形成された導電路パターンに対して半田付けを容易に行うことが出来る、新規な構造の基板用コネクタ及びそれを用いたコネクタを備えた配線基板を提供することにある。
【課題を解決するための手段】
【０００８】
以下、このような課題を解決するために為された本発明の態様を記載する。なお、以下に記載の各態様において採用される構成要素は、可能な限り任意の組み合わせで採用可能である。
【０００９】
基板用コネクタに関する本発明は、表面側と裏面側にそれぞれ導電路パターンが形成された両面プリント配線基板に対して、その端縁部に装着されるコネクタ台座を備えていると共に、両面プリント配線基板の表面側に形成された表側導電路パターンに接続される接続端子と、両面プリント配線基板の裏面側に形成された裏側導電路パターンに接続される接続端子とが、コネクタ台座によって支持された基板用コネクタにおいて、コネクタ台座が分割構造とされて両面プリント配線基板の表面側に装着される分割台座と両面プリント配線基板の裏面側に装着される分割台座とによって構成されており、且つ、それら両分割台座として同じものが一対採用されている一方、分割台座には、中央部分に複数の接続端子が整列して固着されていると共に、中央部分から接続端子の整列方向の両側においてそれぞれ延び出す位置決め部分が非対称形状で設けられて、一対の分割台座を両面プリント配線基板の端縁部において相互に表裏反転して重ね合わせることにより、一方の分割台座の接続端子が両面プリント配線基板の表側導電路パターンに接続されると共に、他方の分割台座の接続端子が両面プリント配線基板の裏側導電路パターンに接続されるようになっている一方、各分割台座における位置決め部分に設けられた係止突起が、両面プリント配線基板の外周端面における相互に異なる位置に対して係止されるようになっていることを、特徴とする。
【００１０】
このような本発明に従う構造とされた基板用コネクタにおいては、両面プリント配線基板の外周端面に係止突起を係止させることで、基板用コネクタのコネクタ台座を構成する分割台座が位置決めされる。これにより、接続端子のプリント配線基板への半田付けに際して、基板用コネクタを両面プリント配線基板に位置決めするための位置決め用孔を両面プリント配線基板に多数形成しなくても、基板用コネクタを両面プリント配線基板に対して精度良く位置決めすることが出来る。
【００１１】
また、両面プリント配線基板に対して、位置決め用孔を設ける必要がなくなることから、両面プリント配線基板の表裏両面を、回路配索スペースとして有効に利用することが可能となる。
【００１２】
また、基板用コネクタに関する本発明においては、一対の分割台座において、両面プリント配線基板の表裏両側から重ね合わされた状態で相互に固着する固着手段が設けられている態様が、好適に採用される。かかる態様においては、一対の分割台座が重ね合わされた状態を維持することが出来る。
【００１３】
なお、固着手段は、一対の分割台座を両面プリント配線基板の表裏両側から重ね合わせた状態で相互に固着することが出来るのであれば、特に限定されることはない。例えば、ピンと係止孔の係止構造や凹凸嵌合構造，接着，溶着等であっても良いし、重ね合わされた二つの中央部分を覆う筒状のハウジング部材による嵌合固着構造であっても良い。
【００１４】
さらに、基板用コネクタに関する本発明においては、前記一対の分割台座の両中央部分が、相互に重ね合わされていると共にコネクタハウジングによって覆われている態様が、好適に採用される。かかる態様においては、接続端子をコネクタハウジング内に位置せしめることが可能となる。これにより、接続端子を保護することが出来る。
【００１５】
更にまた、基板用コネクタに関する本発明においては、各分割台座において両側に延び出して設けられた位置決め部分には、その少なくとも一方において両面プリント配線基板に固定される固定部が設けられている態様が、好適に採用される。かかる態様においては、各分割台座を両面プリント配線基板に固定させることが出来る。その結果、接続端子の半田付け部分への外力の作用を防止することが可能となる。
【００１６】
更にまた、基板用コネクタに関する本発明においては、前記位置決め部分は、該中央部分からの延び出し長さが相互に異なっていると共に、各位置決め部分において前記中央部分からの離隔距離が異なる位置に係止突起が形成されており、それらの係止突起によって、各位置決め部分がそれぞれ両面プリント配線基板の端縁部に対して係止されるようになっている態様が、好適に採用される。
【００１７】
また、コネクタを備えた配線基板に関する本発明においては、本発明に係る基板用コネクタを用い、基板用コネクタを構成する一対の分割台座を両面プリント配線基板の端縁部において表裏両側から重ね合わせ、一対の分割台座のそれぞれに設けられた係止突起を両面プリント配線基板の外周端面における相互に異なる位置に係止させた状態で、一方の分割台座における接続端子を両面プリント配線基板の表側導電路パターンに対して半田付けすると共に、他方の分割台座における接続端子を両面プリント配線基板の裏側導電路パターンに対して半田付けしたことを、特徴とする。
【００１８】
このような本発明に従う構造とされたコネクタを備えた配線基板においては、多数の位置決め用孔を両面プリント配線基板に形成する必要がないので、両面プリント配線基板の有効面積を確保して、導電路パターンの形成スペースを確保することが可能となる。その結果、導電路パターンの設計自由度を向上させることが出来る。
【００１９】
また、コネクタを備えた配線基板に関する本発明においては、一対の分割台座のそれぞれの中央部分において接続端子が貫通して延び出していると共に、中央部分の両側において、それら接続端子における導電路パターンへの接続端側に向かって位置決め部分がそれぞれ延び出しており、分割台座の中央部分と略同じ幅寸法とされた両面プリント配線基板の端縁部に対して分割台座の中央部分が配設されて、両側の位置決め部分が両面プリント配線基板の両側縁部に沿って延び出しており、位置決め部分に設けられた係止突起が両面プリント配線基板の両側縁部の外周端面に対して係止されている態様を、採用しても良い。かかる態様においては、係止突起が両面プリント配線基板の両側縁部の外周端面に対して係止されているので、基板用コネクタの両面プリント配線基板に対する位置決め精度を一層向上させることが出来る。
【００２０】
さらに、コネクタを備えた配線基板に関する本発明においては、一対の分割台座のそれぞれの中央部分において接続端子が貫通して延び出していると共に、中央部分の両側において、それら接続端子の整列方向の両側延長線上にそれぞれ延び出して位置決め部分が形成されており、両面プリント配線基板の直線的に延びる端縁部において、中央部分に設けられた接続端子が接続される導電路パターンの接続部を挟んだ両側にそれぞれ位置決め部分に設けられた係止突起が係止される被係止部が設けられている態様を、採用しても良い。
【図面の簡単な説明】
【００２１】
【図１】本発明の第一の実施形態としてのコネクタを備えた配線基板を示す斜視図。
【図２】同コネクタを備えた配線基板の側面図。
【図３】同コネクタを備えた配線基板の平面図。
【図４】図３におけるＩＶ−ＩＶ断面図。
【図５】同コネクタを備えた配線基板を構成する両面プリント配線基板の斜視図。
【図６】同コネクタを備えた配線基板に用いられている、本発明の第一の実施形態としての基板用コネクタを構成する分割台座の斜視図。
【図７】同分割台座の平面図。
【図８】同分割台座の正面図。
【図９】同分割台座の底面図。
【図１０】同分割台座の側面図。
【図１１】基板用コネクタの両面プリント配線基板への実装方法を説明するための斜視図。
【図１２】係止突起の切欠部への係止状態を示す底面図。
【図１３】接続端子の接続部への接触状態を示す断面図。
【図１４】本発明の第二の実施形態としてのコネクタを備えた配線基板を示す斜視図。
【図１５】同コネクタを備えた配線基板の平面図。
【図１６】同コネクタを備えた配線基板の側面図。
【図１７】図１５におけるＸＶＩＩ−ＸＶＩＩ断面図。
【図１８】同コネクタを備えた配線基板を構成する両面プリント配線基板の斜視図。
【図１９】同コネクタを備えた配線基板に用いられている、本発明の第二の実施形態としての基板用コネクタを構成する分割台座の斜視図。
【図２０】同分割台座の平面図。
【図２１】同分割台座の正面図。
【図２２】同分割台座の底面図。
【図２３】同分割台座の側面図。
【図２４】基板用コネクタの両面プリント配線基板への実装方法を説明するための斜視図。
【図２５】一方の係止突起の切欠部への係止状態を示す断面図。
【図２６】他方の係止突起の切欠部への係止状態を示す断面図。
【図２７】接続端子の接続部への接触状態を示す断面図。
【発明を実施するための形態】
【００２２】
以下、本発明を更に具体的に明らかにするために、本発明の実施形態について、図面を参照しつつ、詳細に説明する。
【００２３】
図１乃至４には、本発明の第一の実施形態としてのコネクタを備えた配線基板１０が示されている。かかるコネクタを備えた配線基板１０は、両面プリント配線基板１２に対して、本発明の第一の実施形態としての基板用コネクタ１４が実装された構造とされている。
【００２４】
より詳細には、両面プリント配線基板１２は、図５にも示されているように、硬質の絶縁基板１６の表面側に表側導電路パターン１８が形成されていると共に、絶縁基板１６の裏面側に裏側導電路パターン２０が形成された構造とされている。なお、図示は省略するが、両面プリント配線基板１２には、必要に応じて各種電子部品が実装されて、表側導電路パターン１８や裏側導電路パターン２０と電気的に接続されるようになっている。そこにおいて、本実施形態の両面プリント配線基板１２は、長手方向寸法が幅方向寸法よりも十分に長くされた帯板形状とされている。特に本実施形態では、両面プリント配線基板１２の幅方向寸法が後述する分割台座３０の端子固着部３２の幅方向寸法と略同じとされている。
【００２５】
また、本実施形態では、両面プリント配線基板１２の長手方向一端側の幅方向両縁部分のそれぞれにおいて、両面プリント配線基板１２の長手方向に適当な間隔をあけて二つの切欠部２２，２３が形成されている。特に本実施形態では、各切欠部２２，２３が、両面プリント配線基板１２の外周面に開口して両面プリント配線基板１２を厚さ方向に半円形状で切り欠くように形成されている。
【００２６】
更に、本実施形態では、両面プリント配線基板１２の長手方向一端側の端縁部近くにおいて、各導電路パターン１８，２０において後述する接続端子２６と接続される接続部２４が形成されている。なお、図面上では必ずしも明らかではないが、表面側の接続部２４と裏面側の接続部２４は、両面プリント配線基板１２の厚さ方向の投影で重なる位置に形成されている。
【００２７】
このような両面プリント配線基板１２に実装される基板用コネクタ１４は、接続端子２６がコネクタ台座２８によって支持された構造とされている。そこにおいて、コネクタ台座２８は、互いに同一形状とされた一対の分割台座３０，３０によって構成されている。各分割台座３０は、図６乃至１０に示されているように、接続端子２６が固着された中央部分としての端子固着部３２を備えている。端子固着部３２は、非導電性の合成樹脂材料で形成されており、矩形ブロック形状を呈している。
【００２８】
また、端子固着部３２には、複数の接続端子２６が固着されている。特に本実施形態では、各接続端子２６が端子固着部３２を奥行方向（図８の紙面に垂直な方向）に貫通して延びている。なお、各接続端子２６は、略一定の断面形状で長手方向に連続して延びる線状部材を適当な長さで切断した線材端子である。
【００２９】
そこにおいて、本実施形態では、各接続端子２６における端子固着部３２から奥行方向一方の側へ突出している部分に適当な曲げ加工が施されているが、各接続端子２６の長手方向両端が互いに平行とされている。
【００３０】
また、上述の如き曲げ加工が施されていることにより、各接続端子２６の長手方向の一端側が他端側よりも端子固着部３２の高さ方向（図８の上下方向）で下側に位置している。その結果、後述の如く分割台座３０を両面プリント配線基板１２の端縁部に装着した際に、接続端子２６の接続部２４への接触状態が実現され易くなっている。
【００３１】
さらに、本実施形態では、複数の接続端子２６が、端子固着部３２の幅方向（図８の左右方向）に一列に並んだ状態で、端子固着部３２に固着されている。複数の接続端子２６の配設ピッチは、接続部２４の形成ピッチに対応している。また、複数の接続端子２６の配設ピッチは、基板用コネクタ１４に接続される相手側コネクタの端子のピッチにも対応している。
【００３２】
なお、各接続端子２６の端子固着部３２への固着方法は、接続端子２６を端子固着部３２にインサート成形する方法であっても良いし、接続端子２６を端子固着部３２に形成された貫通孔に対して圧入固定する方法であっても良い。
【００３３】
また、端子固着部３２の幅方向両端には、それぞれ、奥行方向一方の側へ延び出す位置決め部分としての位置決め部３４ａ，３４ｂが設けられている。各位置決め部３４ａ，３４ｂは、矩形ブロック形状乃至は厚肉の長手板形状を呈しており、端子固着部３２と同じ材料でもって、端子固着部３２と一体形成されている。また、一方の位置決め部３４ａは、他方の位置決め部３４ｂよりも延出寸法が大きくされている。
【００３４】
更にまた、各位置決め部３４ａ，３４ｂの延出端には、係止突起３６ａ，３６ｂが一体形成されている。そこにおいて、本実施形態では、各係止突起３６ａ，３６ｂは、端子固着部３２の幅方向内方へ凸となる半円形状でもって端子固着部３２の高さ方向一方（図８中の下方）の側へ突出している。特に本実施形態では、各係止突起３６ａ，３６ｂの半円形断面形状は、切欠部２２，２３に対応した形状とされている。また、本実施形態では、各係止突起３６ａ，３６ｂの先端部分における端子固着部３２の幅方向内方側にテーパ状の傾斜面が形成されている。
【００３５】
このような構造とされた一対の分割台座３０，３０は、両面プリント配線基板１２の長手方向一端側の端縁部において、相互に表裏反転して各端子固着部３２，３２同士が当接状態で重ね合わせられる。そこにおいて、本実施形態では、当接して重ね合わされた一対の分割台座３０，３０の両端子固着部３２，３２を覆うようにして、コネクタハウジング３８が組み付けられている。
【００３６】
かかるコネクタハウジング３８は、合成樹脂材料によって形成されており、略一定の断面形状でストレートに延びる筒形状を呈している。特に本実施形態では、コネクタハウジング３８の内周面において、コネクタハウジング３８の開口方向に適当な長さで延びるガイド突起４０が突設されている。
【００３７】
このようなコネクタハウジング３８は、当接状態で重ね合わされた二つの端子固着部３２，３２に対して、外挿状態で固定される。なお、コネクタハウジング３８の端子固着部３２，３２に対する固定方法は、係合片と係合凹部による係合構造や接着等、従来から公知の各種固定方法が、何れも、採用可能である。
【００３８】
続いて、上述の如き構造とされた基板用コネクタ１４の両面プリント配線基板１２への装着方法について、説明する。先ず、図１１（ａ）に示されているように、一方の分割台座３０を両面プリント配線基板１２の長手方向一端側の端縁部に装着する。
【００３９】
かかる装着状態下、各位置決め部３４ａ，３４ｂは両面プリント配線基板１２の表面側の幅方向縁部に載置されている。また、図１２に示されているように、延出寸法が大きいほうの位置決め部３４ａに設けられた係止突起３６ａは、幅方向一方の縁に形成された二つの切欠部２２，２３のうち長手方向他端側に位置する切欠部２３に係止されている。更に、延出寸法が小さいほうの位置決め部３４ｂに設けられた係止突起３６ｂは、幅方向他方の縁に形成された二つの切欠部２２，２３のうち長手方向一端側に位置する切欠部２２に係止されている。
【００４０】
更にまた、上述の如く一方の分割台座３０が両面プリント配線基板１２の表面側に装着された状態で、各接続端子２６は、図１３に示されているように、クリーム半田４１を介して、表側の接続部２４に重ね合わせられている。この状態で、クリーム半田４１を溶かすことにより、接続端子２６と表側導電路パターン１８が電気的に接続される。
【００４１】
このようにして表面側に一方の分割台座３０が装着された両面プリント配線基板１２の裏面側に対して、図１１（ｂ）に示されているように、他方の分割台座３０が表裏反転して装着される。かかる状態下、各位置決め部３４ａ，３４ｂは両面プリント配線基板１２の裏面側の幅方向縁部に載置されている。また、表面側の分割台座３０の端子固着部３２と裏面側の分割台座３０の端子固着部３２が当接している。更に、延出寸法が大きいほうの位置決め部３４ａに設けられた係止突起３６ａは、幅方向他方の縁に形成された二つの切欠部２２，２３のうち残りの切欠部２３に係止されている。この状態で、他方の分割台座３０における延出寸法の大きいほうの位置決め部３４ａには、一方の分割台座３０における延出寸法が小さいほうの位置決め部３４ｂに設けられた係止突起３６ｂが当接している。更にまた、延出寸法が小さいほうの位置決め部３４ｂに設けられた係止突起３６ｂは、幅方向一方の縁に形成された二つの切欠部２２，２３のうち残りの切欠部２２に係止されている。この状態で、他方の分割台座３０における延出寸法の小さいほうの位置決め部３４ｂに設けられた係止突起３６ｂは、一方の分割台座３０における延出寸法が大きいほうの位置決め部３４ａに当接している。
【００４２】
また、他方の分割台座３０に設けられた複数の接続端子２６は、それぞれ、クリーム半田を介して裏側の接続部２４に重ね合わせられている。この状態で、クリーム半田を溶かすことにより、接続端子２６と裏側導電路パターン２０が電気的に接続される。
【００４３】
そして、上述の如く両面プリント配線基板１２に装着された一対の分割台座３０，３０の両端子固着部３２，３２に対して、コネクタハウジング３８が外挿固定される。これにより、両面プリント配線基板１２に基板用コネクタ１４が実装された構造のコネクタを備えた配線基板１０が得られる（図１参照）。
【００４４】
このような構造とされたコネクタを備えた配線基板１０においては、基板用コネクタ１４を構成する分割台座３０の両面プリント配線基板１２に対する位置決めが、両面プリント配線基板１２の外周面に開口形成された切欠部２２，２３に係止突起３６ａ，３６ｂを係止させることで為される。これにより、基板用コネクタ１４の両面プリント配線基板１２に対する位置決め用孔を両面プリント配線基板１２に多数形成する必要がなくなる。その結果、両面プリント配線基板１２に導電路パターン１８，２０の形成スペースを確保して、導電路パターン１８，２０の設計自由度を向上させることが出来る。
【００４５】
また、係止突起３６ａ，３６ｂを切欠部２２，２３に係止させることで分割台座３０の両面プリント配線基板１２に対する位置決めが為されているから、両面プリント配線基板１２に多数の位置決め用孔を形成しなくても、分割台座３０、延いては、基板用コネクタ１４を精度良く位置決めすることが出来る。その結果、接続端子２６の導電路パターン１８，２０への半田付けを容易に行うことが可能となる。
【００４６】
さらに、両面プリント配線基板１２の表裏両面に分割台座３０，３０が装着されることから、両面プリント配線基板１２の表面乃至は裏面からの基板用コネクタ１４の突出高さを抑えることが可能となる。
【００４７】
そこにおいて、本実施形態では、両面プリント配線基板１２の端縁部で当接して重ね合わされた二つの端子固着部３２，３２に対して外挿状態でコネクタハウジング３８が固定されることから、二つの端子固着部３２，３２の当接状態を容易に維持することが出来る。なお、このことから明らかなように、本実施形態では、コネクタハウジング３８によって固着手段が構成されている。
【００４８】
また、コネクタハウジング３８内に接続端子２６が位置しているので、基板用コネクタ１４をぶつける等した際に、接続端子２６に外力が作用して、接続端子２６が曲がってしまうこと等を防止することが出来る。
【００４９】
さらに、基板用コネクタ１４に差し込まれる相手側コネクタの差込方向をコネクタハウジング３８の開口方向に設定することが出来る。その結果、相手側コネクタを基板用コネクタ１４に差し込んで接続する際に、接続端子２６が曲がってしまうこと等を防止することが可能となる。
【００５０】
更にまた、コネクタハウジング３８の内周面から突出するガイド突起４０がコネクタハウジング３８の開口方向に延びるように形成されていることから、相手側コネクタが上下逆向きで基板用コネクタ１４に差しこまれることを防止することが出来る。
【００５１】
また、本実施形態では、各係止突起３６ａ，３６ｂの先端にテーパ状の傾斜面が形成されていることから、各係止突起３６ａ，３６ｂを切欠部２２，２３に係止させる際に、分割台座３０が両面プリント配線基板１２に対して位置ずれしていたとしても、各係止突起３６ａ，３６ｂの先端に形成されたテーパ状の傾斜面による案内作用により、各係止突起３６ａ，３６ｂを切欠部２２，２３に確実に係止させることが出来る。
【００５２】
続いて、本発明の第二の実施形態としてのコネクタを備えた配線基板４２について、図１４乃至１７に基づいて、説明する。なお、以下の説明において、第一の実施形態と同様な構造とされた部材及び部位については、図中に、第一の実施形態と同一の符号を付すことにより、それらの詳細な説明を省略する。
【００５３】
より詳細には、本実施形態のコネクタを備えた配線基板４２は、両面プリント配線基板４４に対して、本発明の第二の実施形態としての基板用コネクタ４６が実装された構造とされている。なお、図示は省略するが、両面プリント配線基板４４には、必要に応じて各種電子部品が実装されて、表側導電路パターン１８や裏側導電路パターン２０と電気的に接続されるようになっている。そこにおいて、本実施形態の両面プリント配線基板４４は、図１８にも示されているように、長手方向にストレートに延びる外周端面において幅方向の投影で接続部２４を挟んだ両側に、それぞれ、二つの被係止部としての切欠部２２，２３が形成された構造とされている。また、本実施形態の両面プリント配線基板４４の端縁部近くには、接続部２４を挟んだ両側に、それぞれ、二つの挿通孔４８，４８が形成されている。
【００５４】
一方、基板用コネクタ４６は、コネクタ台座２８を構成する一対の分割台座５０，５０からなり、図１９乃至２３に示されているように、第一の実施形態の基板用コネクタ１４に比して、分割台座５０の位置決め部分としての位置決め部５２ａ，５２ｂが異なっている。具体的には、本実施形態の位置決め部５２ａ，５２ｂは、それぞれ、端子固着部３２の幅方向端面に接続された状態で、端子固着部３２と一体形成されている。そこにおいて、本実施形態では、一方の位置決め部５２ａは、端子固着部３２との接続部分から端子固着部３２の奥行方向一方の側へ延び出す厚肉平板形状を呈しているが、他方の位置決め部５２ｂは、端子固着部３２との接続部分から端子固着部３２の幅方向外方へ延び出した後、端子固着部３２の奥行方向一方の側へ延び出す、平面視で鉤状の厚肉平板形状を呈している。
【００５５】
また、一方の位置決め部５２ａに設けられた係止突起５４ａの端子固着部３２からの離隔距離は、他方の位置決め部５２ｂに設けられた係止突起５４ｂの端子固着部３２からの離隔距離よりも短くされている。なお、本実施形態では、各係止突起５４ａ，５４ｂは円柱形状を呈しており、その先端部分が先細のテーパ形状とされている。更に、各位置決め部５２ａ，５２ｂには、係止突起５４ａ，５４ｂよりも奥行方向に適当な距離だけ離れた位置において、固定部としてのネジ孔５６ａ，５６ｂが形成されている。
【００５６】
更にまた、本実施形態のコネクタハウジング３８には、一方の開口端面に開口する切欠５８が一対形成されている。そして、両面プリント配線基板１２の端縁部に位置する位置決め部５２ａ，５２ｂがコネクタハウジング３８に形成された切欠５８，５８内に位置する状態で、コネクタハウジング３８がコネクタ台座２８に固定される。なお、コネクタハウジング３８のコネクタ台座２８への固定は、係合片と係合凹部による係合や接着等で実現される。
【００５７】
続いて、上述の如き構造とされた基板用コネクタ４６の両面プリント配線基板４４への装着方法について、説明する。先ず、図２４（ａ）に示されているように、一方の分割台座５０を両面プリント配線基板４４の端縁部に装着する。なお、本実施形態の両面プリント配線基板４４には、図示しない接続片を介して、所謂捨て基板６０が接続されている。そして、両面プリント配線基板４４の端縁部に装着された状態で、一方の分割台座５０は、捨て基板６０に形成された切欠６２内に位置している。
【００５８】
かかる状態下、各位置決め部５２ａ，５２ｂは両面プリント配線基板４４の表面に載置されている。また、図２５に示されているように、一方の位置決め部５２ａに設けられた係止突起５４ａは、接続部２４よりも長手方向他方の側に形成された二つの切欠部２２，２３のうち長手方向一端側に位置する切欠部２３に係止されている。更に、他方の位置決め部５２ｂに設けられた係止突起５４ｂは、図２６に示されているように、接続部２４よりも長手方向一方の側に形成された二つの切欠部２２，２３のうち長手方向一端側に位置する切欠部２３に係止されている。
【００５９】
更にまた、上述の如く一方の分割台座５０が両面プリント配線基板４４に装着された状態で、両面プリント配線基板４４の裏側から挿通孔４８に挿通された固定ネジ６４が位置決め部５２ａ，５２ｂに形成されたネジ孔５６ａ，５６ｂに螺合される（図２５及び図２６参照）。これにより、一方の分割台座５０が両面プリント配線基板４４の表面側に固定される。
【００６０】
また、上述の如く一方の分割台座５０が両面プリント配線基板４４の表面側に装着された状態で、各接続端子２６は、図２７に示されているように、クリーム半田６５を介して、表面側の接続部２４に重ね合わせられている。かかる状態で、クリーム半田６５を溶かすと、接続端子２６と表側導電路パターン１８が電気的に接続される。
【００６１】
このようにして表面側に一方の分割台座５０が装着された両面プリント配線基板４４の裏面側に対して、図２４（ｂ）に示されているように、他方の分割台座５０が表裏反転して装着される。この状態で、他方の分割台座５０は、捨て基板６０に形成された切欠６２内に位置している。また、各位置決め部５２ａ，５２ｂは両面プリント配線基板４４の裏面に載置されている。更に、一方の分割台座５０の端子固着部３２と他方の分割台座５０の端子固着部３２が、両面プリント配線基板４４の外周端面の外側で当接している。更にまた、他方の位置決め部５２ｂに設けられた係止突起５４ｂは、接続部２４よりも長手方向他方の側に形成された二つの切欠部２２，２３のうち残りの切欠部２２に係止されている。この状態で、裏面側に装着された分割台座５０における他方の位置決め部５２ｂには、表面側に装着された分割台座５０における一方の位置決め部５２ａに設けられた係止突起５４ａが当接している。また、一方の位置決め部５２ａに設けられた係止突起５４ａは、接続部２４よりも長手方向一方の側に形成された二つの切欠部２２，２３のうち残りの切欠部２２に係止されている。この状態で、裏面側に装着された分割台座５０における一方の位置決め部５２ａに設けられた係止突起５４ａが、表面側に装着された分割台座５０における他方の位置決め部５２ｂに当接している。
【００６２】
更にまた、上述の如く他方の分割台座５０が両面プリント配線基板４４に装着された状態で、両面プリント配線基板４４の表側から挿通孔４８に挿通された固定ネジ６４が位置決め部５２ａ，５２ｂに形成されたネジ孔５６ａ，５６ｂに螺合される。これにより、他方の分割台座５０が両面プリント配線基板４４の裏面側に固定される。
【００６３】
また、上述の如く他方の分割台座５０が両面プリント配線基板４４の裏面側に装着された状態で、各接続端子２６は、クリーム半田を介して、裏面側の接続部２４に重ね合わせられている。かかる状態で、クリーム半田を溶かすと、接続端子２６と裏側導電路パターン２０が電気的に接続される。
【００６４】
そして、図示しない接続片を切断して捨て基板６０を両面プリント配線基板４４から分離した後、上述の如く両面プリント配線基板４４に装着された一対の分割台座５０，５０の両端子固着部３２，３２に対して、コネクタハウジング３８が組み付けられて固定される。これにより、目的とするコネクタを備えた配線基板４２が得られる（図１４参照）。
【００６５】
このような構造とされたコネクタを備えた配線基板４２においても、両面プリント配線基板４４の外周面に形成された切欠部２２，２３に係止突起５４ａ，５４ｂが係止されることで、分割台座５０の両面プリント配線基板４４に対する位置決めが為されることから、第一の実施形態と同様な効果を得ることが出来る。
【００６６】
そこにおいて、本実施形態では、各分割台座５０が両面プリント配線基板４４に対してネジ止めされた状態で接続端子２６の半田付けが行われることから、接続端子２６の半田付けをより確実に行うことが出来る。
【００６７】
以上、本発明の幾つかの実施形態について詳述してきたが、例えば、両面プリント配線基板１２，４４は、柔軟性のある絶縁基板を用いたフレキシブルプリント配線基板を採用することも可能である。
【００６８】
また、前記第一及び第二の実施形態において、端子固着部３２には、接続端子２６が一列に並んだ状態で固着されていたが、接続端子２６が複数列に並んだ状態で固着されている態様も本発明に含まれることは当然である。
【００６９】
さらに、前記第一及び第二の実施形態において、端子固着部３２，３２同士が当接していない状態で、一対の分割台座３０，３０が両面プリント配線基板１２に装着されていても良い。
【００７０】
更にまた、前記第一の実施形態において、位置決め部３４ａ，３４ｂ同士を相互に固定しても良い。固定方法としては、ネジ止めや係合等が採用可能である。
【符号の説明】
【００７１】
１０：コネクタを備えた配線基板，１２：両面プリント配線基板，１４：基板用コネクタ，１８：表側導電路パターン，２０：裏側導電路パターン，２２：切欠部（被係止部），２３：切欠部（被係止部），２６：接続端子，２８：コネクタ台座，３０：分割台座，３２：端子固着部（中央部分），３４ａ：位置決め部（位置決め部分），３４ｂ：位置決め部（位置決め部分），３６ａ：係止突起，３６ｂ：係止突起，３８：コネクタハウジング，４２：コネクタを備えた配線基板，４４：両面プリント配線基板，４６：基板用コネクタ，５０：分割台座，５２ａ：位置決め部（位置決め部分），５２ｂ：位置決め部（位置決め部分），５４ａ：係止突起，５４ｂ：係止突起，５６ａ：ネジ孔（固定部），５６ｂ：ネジ孔（固定部）
【図１】
2010176924.tif 000003
【図２】
2010176924.tif 000004
【図３】
2010176924.tif 000005
【図４】
2010176924.tif 000006
【図５】
2010176924.tif 000007
【図６】
2010176924.tif 000008
【図７】
2010176924.tif 000009
【図８】
2010176924.tif 000010
【図９】
2010176924.tif 000011
【図１０】
2010176924.tif 000012
【図１１】
2010176924.tif 000013
【図１２】
2010176924.tif 000014
【図１３】
2010176924.tif 000015
【図１４】
2010176924.tif 000016
【図１５】
2010176924.tif 000017
【図１６】
2010176924.tif 000018
【図１７】
2010176924.tif 000019
【図１８】
2010176924.tif 000020
【図１９】
2010176924.tif 000021
【図２０】
2010176924.tif 000022
【図２１】
2010176924.tif 000023
【図２２】
2010176924.tif 000024
【図２３】
2010176924.tif 000025
【図２４】
2010176924.tif 000026
【図２５】
2010176924.tif 000027
【図２６】
2010176924.tif 000028
【図２７】
2010176924.tif 000029